(57)【特許請求の範囲】
【請求項１】
吸気バルブの閉時期を可変とする可変動弁機構を備えた内燃機関に適用される制御装置であって、
減速運転における燃料カット状態において、前記可変動弁機構を制御して燃料カット開始前よりも吸気バルブの閉時期を下死点に近づけ、前記燃料カット中に運転者の加速意図を検出した場合に、前記燃料カット中に前記吸気バルブの閉時期を下死点に近づける制御をキャンセルする、内燃機関の制御装置。
【請求項２】
吸気バルブの閉時期を可変とする可変動弁機構を備えた内燃機関に適用される制御装置であって、
減速運転における燃料カット状態において、前記可変動弁機構を制御して燃料カット開始前よりも吸気バルブの閉時期を下死点に近づけ、前記燃料カット中に燃料噴射が再開されるリカバリ回転速度よりも高い所定回転速度にまで前記内燃機関の回転速度が低下したときに、前記吸気バルブの閉時期を下死点に近づける制御をキャンセルする、内燃機関の制御装置。
【発明の詳細な説明】
【技術分野】
【０００１】
本発明は、吸気バルブの閉時期を可変とする可変動弁機構を備えた内燃機関に適用される制御装置に関する。
【背景技術】
【０００２】
特許文献１には、減速燃料カット中は、吸気バルブの閉時期を下死点後９０deg付近のバルブタイミングに設定し、燃料カット後の加速時に、吸気バルブの閉時期を進角させて下死点近くに変更する、制御装置が開示されている。
【先行技術文献】
【特許文献】
【０００３】
【特許文献１】特開２００９−２１５９５６号公報
【発明の概要】
【発明が解決しようとする課題】
【０００４】
ところで、吸気バルブを下死点後に遅閉じすると、有効圧縮比が低くなるために圧縮温度が低くなり、更に、減速燃料カット状態では、新気によって燃焼室（ピストン冠面など）が冷却されるため、減速燃料カット状態で吸気バルブを遅閉じすると、燃焼室が過度に冷却される場合がある。
燃焼室が過度に冷却されると、燃料カット状態から燃料噴射を再開する場合に、燃焼室内（ピストン冠面）に向けて噴射された燃料の蒸発（霧化）が阻害され、十分な混合気形成がなされず、燃焼が不安定となり、排気性状の悪化やトルク変動による運転性の悪化が発生する。
【０００５】
本発明は上記問題点に鑑みなされたものであり、減速燃料カットに伴って燃焼室が過度に冷却されることを抑制できる、内燃機関の制御装置を提供することを目的とする。
【課題を解決するための手段】
【０００６】
そのため、本願発明では、減速運転における燃料カット状態において、吸気バルブの閉時期を可変とする可変動弁機構を制御して燃料カット開始前よりも吸気バルブの閉時期を下死点に近づけ、前記燃料カット中に運転者の加速意図を検出した場合に、前記燃料カット中に吸気バルブの閉時期を下死点に近づける制御をキャンセルするようにした。
また、本願発明では、減速運転における燃料カット状態において、吸気バルブの閉時期を可変とする可変動弁機構を制御して燃料カット開始前よりも吸気バルブの閉時期を下死点に近づけ、前記燃料カット中に燃料噴射が再開されるリカバリ回転速度よりも高い所定回転速度にまで内燃機関の回転速度が低下したときに、吸気バルブの閉時期を下死点に近づける制御をキャンセルするようにした。
【発明の効果】
【０００７】
上記発明によると、燃料カット中の圧縮温度が上昇するため、燃焼室（ピストン冠面など）が過度に冷却されることを抑制でき、燃料カット直後の燃焼が安定し、排気性状が改善され、運転性を向上できる。
また、減速から加速への移行に伴う燃料噴射の再開に対して閉時期の戻しが遅れることによって圧縮比が高い状態で燃料噴射が再開されることを抑制でき、以って、ノッキングやトルク変動が発生することを抑制できる。
【図面の簡単な説明】
【０００８】
【図１】本願発明の実施形態におけるエンジンのシステム図である。
【図２】減速燃料カット時における吸気バルブの閉時期ＩＶＣの制御を示すフローチャートである。
【図３】吸気バルブの閉時期ＩＶＣと圧縮温度との相関の一例を示すグラフである。
【図４】エンジン温度に応じた閉時期ＩＶＣの進角目標の特性を示すグラフである。
【図５】減速から加速に移行するときのアクセル開度、エンジン回転速度、燃料カット、閉時期ＩＶＣ、ブレーキスイッチの変化を示すタイムチャートである。
【図６】減速からそのままアイドルに移行するときのアクセル開度、エンジン回転速度、燃料カット、閉時期ＩＶＣの変化を示すタイムチャートである。
【図７】本願発明の実施形態におけるエンジンのシステム図である。
【図８】減速燃料カット時における吸気バルブの閉時期ＩＶＣの制御を示すフローチャートである。
【図９】吸気バルブの閉時期ＩＶＣと圧縮温度との相関の一例を示すグラフである。
【発明を実施するための形態】
【０００９】
以下に本発明の実施の形態を説明する。
図１は、本発明に係る制御装置を含む、車両用エンジンのシステム図である。
図１に示すエンジン１は、遅閉じミラーサイクル運転を行う、筒内直接噴射式内燃機関である。
エンジン１は、筒内に直接燃料を噴射する燃料噴射弁３を備える。
【００１０】
燃料噴射弁３が筒内に噴射した燃料は、吸気通路２、吸気バルブ４を介して燃焼室５内に吸引される空気と混合し、点火プラグ６による火花点火によって着火燃焼する。燃焼室５内の燃焼ガスは、排気バルブ７を介して排気通路８に排出される。
吸気通路２には、スロットルモータ９で開閉される電子制御スロットル１０が配され、この電子制御スロットル１０の開度によってエンジン１の吸入空気量を調整する。
【００１１】
また、エンジン１は、吸気バルブ４のバルブタイミング（開閉時期）を可変とする可変バルブタイミング機構（ＶＴＣ）２０を備えている。
可変バルブタイミング機構２０は、クランクシャフト２１に対する吸気カムシャフト２２の回転位相を連続的に可変とすることで、吸気バルブ４の作用角（開期間）の中心位相を連続的に可変とする機構である。
【００１２】
燃料噴射弁３による燃料噴射、点火プラグ６による点火、電子制御スロットル１０の開度、可変バルブタイミング機構２０によるバルブタイミングなどを制御する制御装置として、コンピュータを備えるＥＣＭ（エンジン・コントロール・モジュール）３１を設けてある。
ＥＣＭ３１は、図外のアクセルペダルの踏み込み量（アクセル開度）ＡＣＣを検出するアクセル開度センサ３４、エンジン１の吸入空気流量ＱＡを検出するエアフローセンサ３５、エンジン１の回転速度ＮＥを検出する回転センサ３６、エンジン１の冷却水温度ＴＷ（エンジン温度）を検出する水温センサ３７、エンジン排気中の酸素濃度に応じてエンジン１における空燃比を検出する空燃比センサ３８などからの検出信号を入力する。
【００１３】
そして、ＥＣＭ３１は、前述の各種センサの検出信号に基づいて、燃料噴射弁３による燃料噴射量及び噴射タイミング、点火プラグ６による点火時期、電子制御スロットル１０の開度、可変バルブタイミング機構２０によるバルブタイミングなどを制御する。
ＥＣＭ３１は、燃料噴射弁３による燃料噴射制御において、エンジン１の減速運転時に、燃料噴射弁３による燃料噴射を停止する減速燃料カットを実行する。
【００１４】
減速燃料カットにおいては、エンジン１の減速運転状態であって燃料噴射を停止できる条件（カット条件）が成立すると燃料噴射弁３による燃料噴射を停止させ、燃料噴射を停止させた後は、燃料噴射を再開させる条件（リカバリ条件）が成立すると燃料噴射弁３による燃料噴射を再開させる。
例えば、スロットル１０の開度が全閉若しくは全閉付近の低開度で、かつ、エンジン回転速度がカット回転速度を上回っている減速運転状態を判定すると、燃料噴射弁３による燃料噴射を停止させ、その後、エンジン回転速度がリカバリ回転速度（リカバリ回転速度＜カット回転速度）まで低下するか、及び／又は、スロットル１０が開操作されると、燃料噴射弁３による燃料噴射を再開させる。
【００１５】
尚、カット条件及びリカバリ条件を上記に限定するものではなく、公知のカット条件及びリカバリ条件に応じて燃料カットを行う減速燃料カットを適宜採用できる。また、減速燃料カットを、カット条件の成立から遅延して実行することができる。
また、ＥＣＭ３１は、吸気バルブ４の閉時期ＩＶＣを例えば下死点後９０degに設定し、また、吸気バルブの４の開時期ＩＶＯを上死点後に設定して、エンジン１を所謂遅閉じミラーサイクルで運転させる。
【００１６】
ところで、減速燃料カットを実施すると、燃焼室５（ピストン冠面１８など）が新気で冷却されて過度に温度低下する場合があり、燃焼室５の温度が過度に低下した状態で、燃料噴射が再開されると、燃焼室５内（ピストン冠面１８）に向けて噴射された燃料の霧化（気化）が阻害される結果、混合気の燃焼安定性が低下し、排気性状の悪化やトルク変動による運転性の悪化などが発生する可能性がある。
そこで、ＥＣＭ３１は、遅閉じミラーサイクル運転での（減速燃料カット前の）閉時期ＩＶＣよりも、減速燃料カット中は、閉時期ＩＶＣを下死点ＢＤＣに近づける制御を行うことで、減速燃料カット中の有効圧縮比（圧縮温度）を燃料カット前よりも高めることで、減速燃料カット中における燃焼室５の温度低下を抑制する制御（以下では、燃料カット時ＩＶＣ制御という）を行う。
【００１７】
以下では、ＥＣＭ３１による燃料カット時ＩＶＣ制御の詳細を、図２のフローチャートに従って説明する。
図２のフローチャートに示すルーチンは、設定時間毎にＥＣＭ３１によって割り込み実行され、まず、ステップＳ１０１では、エンジン１が冷機状態であるか否かを判断する。
冷機状態であるか否かは、例えば、水温センサ３７が検出した冷却水温度ＴＷが設定温度ＴＷＳＬよりも低いか否かに基づいて判断する。
【００１８】
ステップＳ１０１で判断する冷機とは、ミラーサイクル運転での閉時期ＩＶＣ（ＩＶＣ＝ＡＢＤＣ９０deg）のままで減速燃料カットを行った場合に、燃焼室５（ピストン冠面１８）が過度に冷却され、燃料噴射を再開したときに、燃料噴射弁３からの燃料噴霧の気化が阻害されて燃焼が不安定となる、エンジン１の低温度域であり、設定温度ＴＷＳＬとして前記低温度域であるか否かを区別できる温度を設定する。
換言すれば、ステップＳ１０１でエンジン１が冷機状態でないと判断した場合には、ミラーサイクル運転での閉時期ＩＶＣのまま減速燃料カットを行っても、燃焼室５（ピストン冠面１８）が過度に冷却されることがなく、燃料を十分に霧化させて安定した燃焼を行える、エンジン１の高温域であると判断する。
【００１９】
尚、エンジン１が冷機状態であるか否かの判断は、冷却水温度ＴＷに基づき行える他、潤滑油温度、シリンダヘッド温度、シリンダブロック温度などの燃焼室５（ピストン冠面１８）の温度に相関する温度に基づいて行える。
また、減速燃料カット中に燃焼室５（ピストン冠面１８）が過度に冷却されるか否かは新気の温度に影響され、同じエンジン温度でも新気の温度が低いほど、減速燃料カット中に燃焼室５（ピストン冠面１８）が過度に冷却され易くなる。そこで、例えば、外気温度や吸気温度が低いほど、設定温度ＴＷＳＬをより高く変更することで、新気温度が低いほど、より高いエンジン温度域まで冷機と判断させることができる。
【００２０】
ステップＳ１０１でエンジン１が冷機状態であると判断すると、ステップＳ１０２へ進み、減速燃料カット中であるか否かを判断する。
そして、冷機状態でエンジン１が減速運転され、減速燃料カットが実行されている場合には、ステップＳ１０３へ進む。
【００２１】
ステップＳ１０３では、減速燃料カット中に、ブレーキペダルを踏み込んでいる車両の制動状態から、ブレーキペダルの踏み込みが解除されて非制動状態に切り替わったか否かを判断する。
係る判断は、ブレーキスイッチ３３の信号に基づいて行われ、ブレーキペダルの踏み込み状態（制動状態）でＯＮとなるブレーキスイッチ３３の信号が、減速燃料カット中にＯＮからＯＦＦに切り替わった場合に、制動状態から非制動状態に切り替わったことを判定する。
尚、ブレーキペダルの踏力や、ブレーキ油圧などから、制動状態から非制動状態に切り替わったことを判断することができる。
【００２２】
減速燃料カット中に制動状態から非制動状態に切り替わった場合、換言すれば、ブレーキペダルの踏み込みが解除された場合には、その後にアクセルペダルが踏み込まれて、エンジン１が減速状態から加速状態に移行する可能性がある。換言すれば、制動状態から非制動状態への切り替わりは、運転者の加速意図を示すものである。
前述のように、減速燃料カット時に、遅閉じミラーサイクル運転時での吸気バルブ４の閉時期ＩＶＣ（例えば、ＡＢＤＣ９０deg）よりも進角させ、閉時期ＩＶＣを下死点に近づける燃料カット時ＩＶＣ制御を行う。そして、燃料噴射が再開される場合には、燃料カット時ＩＶＣ制御をキャンセルして、ミラーサイクル運転での閉時期ＩＶＣに戻すが、可変バルブタイミング機構２０で制御される閉時期ＩＶＣはステップ的に変化せず、遅れを持って徐々に変化する。
【００２３】
このため、全閉であったスロットル１０が開かれ、燃料噴射を再開する時点（減速から加速に移行した時点）から、閉時期ＩＶＣを遅角させてミラーサイクル運転での閉時期ＩＶＣに戻す制御を行うと、燃料噴射の再開時点から閉時期ＩＶＣが実際にミラーサイクル運転での閉時期ＩＶＣに遅角するまでの応答遅れの間、ミラーサイクル運転時よりも閉時期ＩＶＣが下死点に近い状態で運転されることになる。
そして、閉時期ＩＶＣがミラーサイクル運転における設定時期よりも下死点に近いと、圧縮比が過度に高くなることで、ノッキングや大きなトルク変動などが発生する可能性がある。
【００２４】
そこで、減速から加速への移行（加速に伴う燃料噴射の再開）を、制動状態から非制動状態への切り替わりに基づいて事前に予測し、実際に加速に移行する前、換言すれば、加速に伴って燃料噴射が再開される前から、閉時期ＩＶＣを遅角させる制御を開始させる。これにより、燃料噴射の再開されたときに、閉時期ＩＶＣが、ミラーサイクル運転での閉時期ＩＶＣにまで変化しているか、若しくは、ミラーサイクル運転での閉時期ＩＶＣに十分に近い時期まで遅角されていて、圧縮比が過大であることによるノッキングやトルク変動の発生を抑制できるようにしてある。
即ち、制動状態から非制動状態への移行を、加速へ移行するための前段階として検出し、制動状態から非制動状態へ移行したときに、その後の加速への移行（燃料噴射の再開）を予測して、閉時期ＩＶＣを、ミラーサイクル運転での閉時期ＩＶＣ（燃料噴射状態に適合する閉時期ＩＶＣ）に戻す制御を予め開始させるようにしてある。
【００２５】
そして、冷機状態での減速燃料カット中であって、制動状態から非制動状態へ移行がない場合には、ステップＳ１０４へ進む。
ステップＳ１０４では、エンジン回転速度ＮＥが、減速燃料カットの開始条件であるカット回転速度ＮＣＵＴよりも低く、かつ、燃料噴射の再開条件であるリカバリ回転速度ＮＲＥよりも高い、カット時制御解除回転速度ＮＣＡＮ（ＮＲＥ＜ＮＣＡＮ＜ＮＣＵＴ）よりも高いか否かを判断する。
【００２６】
減速燃料カットは、加速への移行に伴ってキャンセルされる他、エンジン回転速度ＮＥがリカバリ回転速度ＮＲＥにまで低下した場合もキャンセルされて、燃料噴射が再開される。
そして、エンジン回転速度ＮＥの低下に伴って噴射が再開される場合も、エンジン回転速度ＮＥがリカバリ回転速度ＮＲＥに達して燃料噴射が再開される時点から、閉時期ＩＶＣをミラーサイクル運転での閉時期ＩＶＣに戻す制御を開始させると、閉時期ＩＶＣ変化の応答遅れによって、燃料噴射の再開直後の閉時期ＩＶＣが下死点に近くなり、これによって圧縮比が過剰に高くなることで、ノッキングや大きなトルク変動が発生する可能性がある。
【００２７】
そこで、エンジン回転速度ＮＥの低下に伴って燃料噴射が再開される場合においても、実際に燃料噴射が再開される前から、閉時期ＩＶＣをミラーサイクル運転での閉時期ＩＶＣに戻す制御を予め開始させ、燃料噴射の再開時には、閉時期ＩＶＣが、ミラーサイクル運転での閉時期ＩＶＣにまで変化しているか、若しくは、ミラーサイクル運転での閉時期ＩＶＣに十分に近い時期まで遅角されていて、圧縮比が過大であることによるノッキングやトルク変動などの発生を抑制できるようにする。
そのため、リカバリ回転速度ＮＲＥよりも高いカット時制御解除回転速度ＮＣＡＮまでエンジン回転速度ＮＥが低下した時点で、燃料カット時ＩＶＣ制御をキャンセルし、閉時期ＩＶＣをミラーサイクル運転での閉時期ＩＶＣにまで遅角させる制御を開始させるようにしてある。
【００２８】
換言すれば、カット時制御解除回転速度ＮＣＡＮまでエンジン回転速度ＮＥが低下するまでの間で、燃料カット時ＩＶＣ制御を実施して、吸気バルブ４の閉時期ＩＶＣを下死点に近づける。そして、エンジン回転速度ＮＥがカット時制御解除回転速度ＮＣＡＮからリカバリ回転速度の間であるときに、実際の閉時期ＩＶＣがミラーサイクル運転での閉時期ＩＶＣ付近にまで戻るようにする。
従って、カット時制御解除回転速度ＮＣＡＮは、可変バルブタイミング機構２０による閉時期ＩＶＣの遅角制御の応答遅れを考慮し、カット時制御解除回転速度ＮＣＡＮにまでエンジン回転速度ＮＥが低下して時点で燃料カット時ＩＶＣ制御を解除すれば、エンジン回転速度ＮＥがリカバリ回転速度ＮＲＥになるまでに、換言すれば、燃料噴射が再開されるまでに、閉時期ＩＶＣがミラーサイクル運転での閉時期ＩＶＣ付近にまで遅角し、燃料噴射再開時点でノッキングやトルク変動の発生を抑制できる圧縮比まで低下するように設定してある。
【００２９】
ステップＳ１０４でエンジン回転速度ＮＥがカット時制御解除回転速度ＮＣＡＮよりも高い（ＮＥ＞ＮＣＡＮ）と判断すると、ステップＳ１０５へ進む。
ステップＳ１０５では、可変バルブタイミング機構２０を制御して、吸気バルブ４の作用角の中心位相を、燃料カット前（ミラーサイクル運転時）よりも進角させて、吸気バルブ４の閉時期ＩＶＣを下死点に近づける、燃料カット時ＩＶＣ制御を実施する。
【００３０】
例えば、遅閉じミラーサイクル運転での閉時期ＩＶＣが、例えば、燃料カット前において下死点後（ＡＢＤＣ）９０degであったとすると、燃料カット時ＩＶＣ制御では、下死点後（ＡＢＤＣ）９０degとしたときの圧縮温度よりも高くなるように、閉時期ＩＶＣをミラーサイクル運転時よりも下死点ＢＤＣに近づける。吸気バルブ４の閉時期ＩＶＣを下死点ＢＤＣに近づけると、有効圧縮比が増加し、その結果、圧縮温度が上昇する。
一方、減速燃料カット中は、燃料の燃焼が行われず、シリンダ内に吸い込んだ新気によって燃焼室５（ピストン冠面１８）が冷却されることになるが、有効圧縮比の増加によって圧縮温度が高くなれば、それだけ燃焼室５の温度低下を抑制できることになる。
【００３１】
そして、減速燃料カット中における燃焼室５の温度低下（過冷却）を抑制できれば、燃料噴射を再開させたときに、燃焼室５内（ピストン冠面１８）に向けて噴射された燃料の霧化（気化）が阻害されることを抑制できるので、燃焼安定性を維持できる混合気形成を行わせることができ、排気性状の悪化や、トルク変動による運転性の悪化を抑制できる。
尚、エンジン１が、ピストンの裏側に対して冷却用の潤滑油を噴射する潤滑油供給装置を備える場合には、燃料カット時ＩＶＣ制御の実施中に、ピストン裏側に対する潤滑油の噴射を停止させるか、又は、潤滑油の噴射を継続させるものの噴射圧、噴射量を低下させ、潤滑油の噴射によってピストン温度が過渡に低下することを抑制することができる。
【００３２】
図３は、減速運転時における、吸気バルブ４の閉時期ＩＶＣと圧縮温度との相関の一例を示す。
図３に示すグラフの横軸は、閉時期ＩＶＣの下死点からの遅角角度（ＡＢＤＣ）であり、横軸の右側ほど下死点から遅角された位置で吸気バルブ４が閉じられる状態を示し、縦軸は閉時期ＩＶＣ毎の圧縮温度を示す。また、圧縮温度を求めた条件は、吸気圧が−６７kPa（−５００mmHg）の減速運転であり、エンジン回転速度ＮＥが２０００rpmの場合と１２００rpmの場合における圧縮温度の傾向を示す。
【００３３】
遅閉じミラーサイクル運転で閉時期ＩＶＣをＡＢＤＣ９０deg付近とする場合に比べて、閉時期ＩＶＣを進角させて下死点に近づけることで、圧縮温度は徐々に上昇するが、図３に示す例では、閉時期ＩＶＣがＡＢＤＣ５０degを過ぎて更に下死点に近づくと、圧縮温度は低下する傾向を示し、閉時期ＩＶＣをＡＢＤＣ５０degとしたときに、圧縮温度がピーク値（最大値）を示す。
有効圧縮比は、閉時期ＩＶＣのみに着目した場合、閉時期ＩＶＣを下死点ＢＤＣ付近とすることで最大値を示すようになるものの、閉時期ＩＶＣを下死点に近づけるために、吸気バルブ４の作用角の中心位相を進角制御すると、同時に開時期ＩＶＯも進角してバルブオーバーラップが大きくなり、低回転域でバルブオーバーが大きくなると充填効率が低下し、実質的な圧縮比が低下してしまう。
【００３４】
図３の例では、閉時期ＩＶＣがＡＢＤＣ５０deg付近であるときに、排気バルブ７の閉時期ＥＶＣと吸気バルブ４の開時期ＩＶＯとが略同時期となり、閉時期ＩＶＣをＡＢＤＣ５０degよりも進角させるほど、バルブオーバーラップが拡大し、逆に、閉時期ＩＶＣをＡＢＤＣ５０degよりも遅角させるほど、排気バルブ７の閉時期ＥＶＣから吸気バルブ４の開時期ＩＶＯまでの間隔が広がり、バルブオーバーラップを拡大させない範囲で閉時期ＩＶＣをなるべく進角させたＡＢＤＣ５０degの位置で圧縮温度がピーク値を示す。
従って、燃料カット時ＩＶＣ制御においては、閉時期ＩＶＣを下死点に近づけるほど圧縮温度を上げられるものではなく、同時に進角変化する開時期ＩＶＯによるバルブオーバーラップの影響を考慮して、閉時期ＩＶＣの目標を設定する。即ち、作用角の中心位相を、吸気バルブ４の開時期ＩＶＯが排気バルブ７の閉時期ＥＶＣと略同時期となるまで進角したときの閉時期ＩＶＣを、燃料カット時ＩＶＣ制御における閉時期ＩＶＣの目標とすれば、圧縮温度を可及的に高くすることができる。
【００３５】
具体的には、例えば、吸気バルブ４の作用角が２２０deg〜２６０degである場合、開時期ＩＶＯが上死点ＴＤＣ付近であるときに、排気バルブ７の閉時期ＥＶＣと略同時期になるとすると、燃料カット時ＩＶＣ制御における目標の閉時期ＩＶＣは、ＡＢＤＣ４０deg〜ＡＢＤＣ８０degとすればよいことになる。
尚、可変動弁機構として、例えば、可変バルブタイミング機構２０と、作用角及び最大リフト量を可変とする可変リフト機構とを備えるエンジン１では、吸気バルブ４の開時期ＩＶＯと閉時期ＩＶＣとをそれぞれに独立して制御できるので、燃料カット時ＩＶＣ制御において、吸気バルブ４の開時期ＩＶＯを排気バルブ７の閉時期ＥＶＣと略同時期とし、かつ、吸気バルブ４の閉時期ＩＶＣを下死点ＢＤＣに制御して、より高い圧縮温度を得ることが可能である。
【００３６】
また、燃料カット時ＩＶＣ制御における目標の閉時期ＩＶＣ（閉時期ＩＶＣの進角量目標）を、エンジン１の温度に応じて可変に設定することができる。
即ち、エンジン１の温度が低いほど、燃料カット中に、燃焼室５（ピストン冠面１８）の温度が、燃料の霧化が阻害される温度にまで低下し易いので、エンジン１の温度が低いほど、圧縮温度を高くすることが要求される。
【００３７】
一方、エンジン１の温度が比較的高い場合には、圧縮温度をそれほど高くしなくても、燃料カット中に燃料の霧化が阻害される温度にまで燃焼室５の温度が低下することを抑制でき、かつ、ミラーサイクル運転での閉時期ＩＶＣからの進角量を抑制できれば、燃料カット時ＩＶＣ制御をキャンセルするときに、速やかに閉時期ＩＶＣをミラーサイクル運転での閉時期ＩＶＣに戻すことができ、燃料噴射再開時におけるエンジン１の運転性を改善できる。
そこで、エンジン温度に応じて燃料カット時ＩＶＣ制御における目標の閉時期ＩＶＣを可変とする場合には、図４に示すように、エンジン温度が低いほど、ミラーサイクル運転での閉時期ＩＶＣからの進角量を大きくして、閉時期ＩＶＣをより下死点に近づけ、圧縮温度がより高くなるようにする。
【００３８】
例えば、閉時期ＩＶＣをＡＢＤＣ５０degとしたときに圧縮温度がピーク値となる場合には、進角限界をＡＢＤＣ５０degとして、遅閉じミラーサイクルでの閉時期ＩＶＣ（ＡＢＤＣ９０deg）からＡＢＤＣ５０degまでの間で、エンジン温度が低いほど下死点に近い側の閉時期ＩＶＣを目標とすることで、過剰な進角制御を抑制できる。
尚、ステップＳ１０１の冷機時であるか否かの判断を省略する代わりに、燃料カット時ＩＶＣ制御における目標の閉時期ＩＶＣの設定において、エンジン温度が設定温度よりも高い場合に進角量を零に設定して、高温域で実質的に閉時期ＩＶＣの進角制御が行われない（ミラーサイクル運転での閉時期ＩＶＣを保持させる）ようにすることができる。
【００３９】
また、エンジン温度が設定温度よりも高い場合に進角量を零に設定することで、閉時期ＩＶＣの進角制御をキャンセルする一方、エンジン温度が設定温度よりも低い場合に進角量を一定値（＞０）に設定して、閉時期ＩＶＣを下死点に近づける進角制御を行わせることができる。
上記のようにして、燃料カット時ＩＶＣ制御を行っている途中で、制動状態から非制動状態に切り替われば、その後の加速への移行を予測して、予め燃料カット時ＩＶＣ制御をキャンセルし、吸気バルブ４の閉時期ＩＶＣをミラーサイクル運転時の閉時期ＩＶＣに向けて遅角させる（下死点から遠ざける）処理を開始させる。
【００４０】
図５は、ステップＳ１０３での処理で燃料カット時ＩＶＣ制御がキャンセルされる場合における、アクセル開度（スロットル開度）、エンジン回転速度、燃料カット、閉時期ＩＶＣ、ブレーキの変化を示すタイムチャートである。
図５において、アクセルペダルからブレーキペダルに踏み替えられることで、時点ｔ１では、アクセルが略全閉で、かつ、制動状態になっている。そして、時点ｔ１から、カット遅延時間ＴＤＬが経過した時点ｔ２から減速燃料カットが開始される。
【００４１】
そして、減速燃料カットが開始されることで、燃料カット時ＩＶＣ制御が開始され、吸気バルブ４の閉時期ＩＶＣが燃料カット開始前の遅閉じミラーサイクル運転での閉時期ＩＶＣから進角されて下死点に近づけられ、閉時期ＩＶＣを下死点に近づけ有効圧縮比を高くすることで、圧縮温度が上がり、燃料カット中における燃焼室５（ピストン冠面１８）の温度低下を抑制する。
減速燃料カット中の時点ｔ３で、ブレーキペダルから足が離され、制動状態から非制動状態に切り替わると、減速燃料カットは継続しているものの、その後の燃料噴射の再開に備えて燃料カット時ＩＶＣ制御をキャンセルし、遅閉じミラーサイクル運転での閉時期ＩＶＣにまで遅角させる制御を開始させる。
【００４２】
ここで、実際の閉時期ＩＶＣは、時点ｔ３から徐々に遅角してミラーサイクル運転での閉時期ＩＶＣに近づくことになる。
そして、時点ｔ３後の時点ｔ４において、アクセルペダルが踏み込まれてアクセル開度が増大すると、減速燃料カットが停止され、燃料噴射が再開されるが、閉時期ＩＶＣを事前に遅閉じミラーサイクル運転での目標に戻す処理が開始されているので、燃料噴射の再開時点ｔ４では、実際の閉時期ＩＶＣが遅閉じミラーサイクル運転での目標に十分に近づいている。
【００４３】
これにより、減速から加速への移行に伴って減速燃料カット状態から燃料噴射が再開される場合に、燃料噴射の再開直後から閉時期ＩＶＣをミラーサイクル運転時での時期に十分に近い時期とすることができ、可変バルブタイミング機構２０の応答遅れがあっても、圧縮比が過剰に高い状態のまま燃料噴射が再開されて、大きなトルク変動やノッキングなどが発生することを抑制できる。
また、燃料カット時ＩＶＣ制御を行っている途中でリカバリ回転速度ＮＲＥ直前の回転速度ＮＣＡＮまでエンジン回転速度ＮＥが低下すると、その後の燃料噴射の再開を予測して、予め燃料カット時ＩＶＣ制御をキャンセルし、吸気バルブ４の閉時期ＩＶＣをミラーサイクル運転時の閉時期ＩＶＣに向けて遅角させる（下死点から遠ざける）処理を開始させる。
【００４４】
図６は、ステップＳ１０４での処理で燃料カット時ＩＶＣ制御がキャンセルされる場合における、アクセル開度（スロットル開度）、エンジン回転速度、燃料カット、閉時期ＩＶＣの変化を示すタイムチャートである。
図６において、アクセルが略全閉になった時点ｔ１から、カット遅延時間ＴＤＬが経過した時点ｔ２から減速燃料カットが開始される。そして、減速燃料カットが開始されることで、燃料カット時ＩＶＣ制御が開始され、吸気バルブ４の閉時期が燃料カット開始前の遅閉じミラーサイクル運転での閉時期ＩＶＣから進角されて下死点に近づけられ、閉時期ＩＶＣを下死点に近づけ有効圧縮比を高くすることで、圧縮温度が上がり、燃料カット中における燃焼室５（ピストン冠面１８）の温度低下を抑制する。
【００４５】
燃料カット中にエンジン回転速度ＮＥが低下し、時点ｔ３において、リカバリ回転速度ＮＲＥ直前のカット時制御解除回転速度ＮＣＡＮに達すると、減速燃料カットは継続しているものの、燃料カット時ＩＶＣ制御をキャンセルして、遅閉じミラーサイクル運転での閉時期ＩＶＣにまで遅角させる制御を開始させる。
ここで、実際の閉時期ＩＶＣは、時点ｔ３から徐々にミラーサイクル運転での閉時期ＩＶＣにまで遅角変化することになる。
【００４６】
そして、エンジン回転速度ＮＥがリカバリ回転速度ＮＲＥにまで低下した時点ｔ４において、減速燃料カットが停止され、燃料噴射が再開され、そのままアイドルに移行するが、事前に遅閉じミラーサイクル運転での目標に戻す処理が開始されているので、燃料噴射の再開時点ｔ４では、実際の閉時期ＩＶＣが遅閉じミラーサイクル運転での目標に十分に近づいている。
これにより、エンジン回転速度ＮＥの低下に伴って減速燃料カット状態から燃料噴射が再開される場合に、燃料噴射の再開直後からミラーサイクル運転時の閉時期ＩＶＣに十分に近い閉時期ＩＶＣとすることができ、可変バルブタイミング機構２０の応答遅れがあっても、圧縮比が過剰に高い状態のまま燃料噴射が再開されて、ノッキングや大きなトルク変動が発生することを抑制できる。
【００４７】
尚、吸気バルブの閉時期を可変とする可変動弁機構は、クランクシャフト２１に対する吸気カムシャフト２２の回転位相を連続的に可変とする可変バルブタイミング機構２０に限定されず、例えば、複数種のカムの切り替えを行う機構、カムプロフィールが軸方向に変化する三次元カムを軸方向に変位させてバルブ駆動を行わせる機構などを用いることができ、更には、可変バルブタイミング機構２０と、作用角及び最大リフト量を可変とする可変リフト機構との組み合わせや、電磁駆動バルブを用いることができる。
電磁力を用いて吸気バルブ４を開閉する電磁駆動バルブなどの、吸気バルブ４の閉時期を応答よく変化させることが可能な機構を採用した場合や、噴射再開時に閉時期ＢＤＣが下死点近くに進角していても、ノッキングの発生が十分に抑制されるエンジン１においては、図２のフローチャートにおけるステップＳ１０３及びステップＳ１０４の処理を省略し、冷機時の減速燃料カット状態において燃料カット時ＩＶＣ制御を実施させることができる。
【００４８】
また、早閉じミラーサイクル運転が行われるエンジン１においても、燃料カット時ＩＶＣ制御を実施することで、減速燃料カット中に燃焼室５（ピストン冠面１８）が過冷却されることを抑制できる。
但し、吸気バルブ４を下死点ＢＤＣ後に閉じる遅閉じミラーサイクルでは、減速燃料カット中に有効圧縮比を高めるために、閉時期ＩＶＣを進角させて下死点ＢＤＣに近づけることになるが、吸気バルブ４を下死点ＢＤＣ前に閉じる早閉じミラーサイクルでは、減速燃料カット中に有効圧縮比を高めるために、閉時期ＩＶＣを遅角させて下死点ＢＤＣに近づけることになる。
【００４９】
以下では、早閉じミラーサイクル運転を行うエンジン１であって、図７に示すように、可変バルブタイミング機構２０と共に、吸気バルブ４の作用角及び最大リフト量を可変にする可変リフト機構２３を備えたエンジン１における、燃料カット時ＩＶＣ制御を、図８のフローチャートに従って説明する。
尚、図７において、図１と同一要素には同一符号を付してあり、詳細な説明は省略する。
【００５０】
図８のフローチャートに示すルーチンは、ＥＣＭ３１によって設定時間毎に割り込み実行され、ステップＳ２０１〜ステップＳ２０４では、図２のフローチャートのステップＳ１０１〜１０４と同様な処理を行い、ステップＳ２０１〜ステップＳ２０４の各条件が成立していることを前提に、ステップＳ２０５の燃料カット時ＩＶＣ制御を実施する。
即ち、エンジン１が冷機状態であって、かつ、減速燃料カット状態であって、かつ、制動状態から非制動状態への切り替わりがなく、かつ、エンジン回転速度ＮＥがカット時制御解除回転速度ＮＣＡＮよりも高い場合に、ステップＳ２０５へ進む。
【００５１】
ステップＳ２０５では、可変バルブタイミング機構２０を制御することにより吸気バルブ４の作用角の中心位相を遅角させ、かつ、可変リフト機構２３を制御することにより吸気バルブ４の作用角を増大させることで、吸気バルブ４の閉時期ＩＶＣを、早閉じミラーサイクルでの閉時期ＩＶＣ（例えば下死点前６０deg）から下死点に向けて遅角させる、燃料カット時ＩＶＣ制御を行う。
ここで、可変動弁機構として、可変バルブタイミング機構２０と可変リフト機構２３とを備えるエンジン１の場合には、排気バルブ７の閉時期ＥＶＣと略同時期の開時期ＩＶＯと、下死点の閉時期ＩＶＣとを同時に実現できる作用角及び中心位相に制御することができ、これによって圧縮温度を最も高くすることができる。
【００５２】
そこで、ステップＳ２０５の燃料カット時ＩＶＣ制御においては、排気バルブ７の閉時期ＥＶＣと略同時期に設定した開時期ＩＶＯから下死点ＢＤＣまでのクランク角度を、可変リフト機構２３による作用角の増大目標値に設定し、また、排気バルブ７の閉時期ＥＶＣと略同時期に設定した開時期ＩＶＯと下死点ＢＤＣとの中間点を、可変バルブタイミング機構２０による中心位相の遅角制御の目標値に設定することで、減速燃料カット中に、吸気バルブ４が、排気バルブ７の閉時期ＥＶＣと略同時期に開弁し、かつ、下死点ＢＤＣ付近で閉じるようにする。
上記のようにして、減速燃料カット中の吸気バルブ４の閉時期ＩＶＣを、早閉じミラーサイクルでの閉時期ＩＶＣ（減速燃料カット開始前）から遅角させて下死点付近に設定し、かつ、バルブオーバーラップの拡大による実質的な圧縮比の低下を抑制できるような開時期ＩＶＯに設定すれば、減速燃料カット中に燃焼室５（ピストン冠面１８）の温度が過渡に低下することを、高い圧縮温度で抑制でき、燃料噴射再開時における排気性状の悪化やトルク変動による運転性の悪化を抑制できる。
【００５３】
また、図２のフローチャートに従って燃料カット時ＩＶＣ制御が行われる場合と同様に、可変バルブタイミング機構２０や可変リフト機構２３に応答遅れがあっても、早閉じミラーサイクル運転の閉時期ＩＶＣに十分に近い状態で、燃料噴射を再開させることができ、燃料噴射の再開時に、ノッキングやトルク変動が発生することを抑制できる。
図９は、可変バルブタイミング機構２０と可変リフト機構２３とを備え、早閉じミラーサイクル運転が行われるエンジン１における、吸気バルブ４の閉時期ＩＶＣと圧縮温度との相関を示す。
【００５４】
例えば、吸気バルブ４の開時期ＩＶＯを、排気バルブ７の閉時期ＥＶＣと略同時期の上死点ＴＤＣ付近とし、閉時期ＩＶＣを下死点前６０deg程度とする早閉じミラーサイクル運転から、減速燃料カットに入ったときに、開時期ＩＶＯをミラーサイクル運転時と同等に保持する一方、閉時期ＩＶＣを下死点前から下死点に近づける遅角制御を行った場合、閉時期ＩＶＣが下死点に近いほど有効圧縮比がより高くなることで、圧縮温度はより高くなる。
ここでは、閉時期ＩＶＣの遅角制御に伴って開時期ＩＶＯが変化せず、開時期ＩＶＯは、排気バルブ７の閉時期ＥＶＣと略同時期の上死点ＴＤＣ付近を保持するので、バルブオーバーラップの変化による充填効率の変化がなく、圧縮温度は、閉時期ＩＶＣが遅角するほど高くなるが、下死点ＢＤＣを過ぎると、逆に有効圧縮比が低下するため圧縮温度は低下傾向となり、結果、圧縮温度は閉時期ＩＶＣ＝下死点ＢＤＣとしたときに、ピーク値を示すことになる。
【００５５】
従って、ステップＳ２０５の燃料カット時ＩＶＣ制御における閉時期ＩＶＣの目標を下死点ＢＤＣに設定することで、圧縮温度を最も高くして、燃焼室５の温度低下を効果的に抑制することができる。
前述した、可変リフト機構２３を備えず、可変バルブタイミング機構２０を備えるエンジンでは、作用角が一定であることから、排気バルブ７の閉時期ＥＶＣと略同時期の開時期ＩＶＯに設定した場合、閉時期ＩＶＣを下死点ＢＤＣに設定することができない。
【００５６】
これに対し、可変バルブタイミング機構２０と可変リフト機構２３とを備えたエンジンでは、作用角及び作用角の中心位相を可変にできるから、排気バルブ７の閉時期ＥＶＣと略同時期の開時期ＩＶＯに設定しつつ、閉時期ＩＶＣを下死点ＢＤＣに設定することができ、より高い有効圧縮比（圧縮温度）を得られる。
尚、ステップＳ２０５における燃料カット時ＩＶＣ制御においても、閉時期ＩＶＣの目標を、そのときのエンジン温度が低いほど下死点ＢＤＣにより近い位置に設定することができ、この場合、ミラーサイクル運転での閉時期ＩＶＣ（例えば、下死点前６０deg）から下死点ＢＤＣまでの角度範囲内で、エンジン温度に応じて閉時期ＩＶＣの目標を可変に設定することになる。
【００５７】
また、早閉じミラーサイクル運転を行うエンジンにおいても、吸気バルブ４として電磁駆動弁を備えることができ、この場合、閉時期ＩＶＣを応答よく変化させることができるので、ステップＳ２０３，２０４の処理を省略することができる。
以上、好ましい実施形態を具体的に説明したが、当業者であれば、種々の変形態様を採り得ることは自明である。
【００５８】
前述した燃料カット時ＩＶＣ制御では、エンジン回転速度ＮＥがカット時制御解除回転速度ＮＣＡＮにまで低下した時点で、燃料カット時ＩＶＣ制御をキャンセルしたが、エンジン回転速度ＮＥがリカバリ回転速度ＮＲＥに近づくにつれて、遅閉じミラーサイクル運転時の閉時期ＩＶＣ又は早閉じミラーサイクル運転時の閉時期ＩＶＣに向けて閉時期ＩＶＣの目標を徐々に近づけることができる。
また、減速燃料カット中に、制動状態から非制動状態に切り替わった場合に、燃料カット時ＩＶＣ制御をキャンセルせずに、遅閉じミラーサイクル運転時の閉時期ＩＶＣ又は早閉じミラーサイクル運転時の閉時期ＩＶＣと、燃料カット時ＩＶＣ制御における閉時期ＩＶＣとの中間値にまで変化させたり、制動状態から非制動状態に切り替わった時点からの時間経過に応じて、遅閉じミラーサイクル運転時の閉時期ＩＶＣ又は早閉じミラーサイクル運転時の閉時期ＩＶＣに向けて徐々に戻したりできる。
【００５９】
また、燃料カット時ＩＶＣ制御を、吸気ポート噴射式内燃機関に適用することが可能である。吸気ポート噴射式内燃機関の場合、燃料カット中における燃焼室５の温度低下を抑制できることで、燃料カットがキャンセルされ、吸気行程噴射が再開される場合に、燃焼室５内での燃料の気化性能を改善でき、燃焼安定性を向上させることができる。
【００６０】
ここで、上記実施形態から把握し得る請求項以外の技術的思想について、以下に効果と共に記載する。
【００６２】
（イ）吸気バルブの閉時期を可変とする可変動弁機構を備えた内燃機関に適用される制御装置であって、
減速運転における燃料カット状態において、前記可変動弁機構を制御して燃料カット開始前よりも吸気バルブの閉時期を下死点に近づけ、前記燃料カット中に制動状態から非制動状態に切り替わった場合に前記吸気バルブの閉時期を下死点に近づける制御をキャンセルする、内燃機関の制御装置。
【００６３】
上記発明によると、減速から加速に移行する場合、一般的に、ブレーキペダルからアクペダルへの踏み替えが行われるから、ブレーキペダルから足を離して制動状態から非制動状態に切り替わった場合には、その後の加速を予測でき、係る加速予測に基づき、閉時期を戻す制御が開始される。従って、減速から加速への移行に伴う燃料噴射の再開に対して、閉時期の戻しが遅れることによって、圧縮比が高い状態で燃料噴射が再開され、ノッキングやトルク変動が発生することを抑制できる。
【００６６】
（ロ）請求項１又は２記載の内燃機関の制御装置において、
前記内燃機関が、遅閉じミラーサイクル運転が行われる内燃機関であり、
燃料カット時に、遅閉じミラーサイクル運転での閉時期よりも進角させて下死点に近づける、内燃機関の制御装置。
【００６７】
上記発明によると、閉時期を下死点後とする遅閉じミラーサイクル運転が行われる内燃機関では、減速燃料カット時に、閉時期を進角させて下死点に近づけることで、有効圧縮比（圧縮温度）を増大させて、減速燃料カット中での燃焼室（ピストン冠面）温度の低下を抑制する。
【００６８】
（ハ）請求項１又は２記載の内燃機関の制御装置において、
前記内燃機関が、早閉じミラーサイクル運転が行われる内燃機関であり、
燃料カット時に、早閉じミラーサイクル運転での閉時期よりも遅角させて下死点に近づける、内燃機関の制御装置。
【００６９】
上記発明によると、閉時期を下死点前とする早閉じミラーサイクル運転が行われる内燃機関では、減速燃料カット時に、閉時期を遅角させて下死点に近づけることで、有効圧縮比（圧縮温度）を増大させて、減速燃料カット中での燃焼室（ピストン冠面）温度の低下を抑制する。
【００７０】
（ニ）請求項１又は２記載の内燃機関の制御装置において、
燃料カット開始前よりも吸気バルブの閉時期を下死点に近づける制御において、前記吸気バルブの開時期を、排気バルブの閉時期と略同時期に設定しつつ、閉時期を可及的に下死点に近づける、内燃機関の制御装置。
【００７１】
上記発明によると、バルブオーバーラップが大きいと充填効率の低下によって、実質的な圧縮比が低下し、圧縮温度が低下してしまうので、吸気バルブの開時期を排気バルブの閉時期と略同時期に維持させつつ、吸気バルブの閉時期をなるべく下死点に近づけることで、より高い圧縮温度が得られるようにする。
【００７２】
（ホ）請求項１又は２記載の内燃機関の制御装置において、
前記内燃機関が、前記可変動弁機構として、クランクシャフトに対する吸気カムシャフトの回転位相を可変とする可変バルブタイミング機構と、吸気バルブの作用角を可変にする可変リフト機構とを備え、早閉じミラーサイクル運転が行われ、
燃料カット開始前よりも吸気バルブの閉時期を下死点に近づける制御において、開時期が、排気バルブの閉時期と略同時期になり、かつ、閉時期が下死点になるように、前記回転位相及び作用角を制御する、内燃機関の制御装置。
【００７３】
上記発明によると、排気バルブの閉時期と略同時期の開時期と下死点との角度間隔から、作用角の目標値が定まり、また、排気バルブの閉時期と略同時期の開時期と下死点との中点が回転位相の目標値となり、排気バルブの閉時期と略同時期の開時期と、下死点の閉時期との双方を実現して、可及的に高い圧縮温度が得られる。
【００７４】
（ヘ）請求項１又は２記載の内燃機関の制御装置において、
前記内燃機関が、前記可変動弁機構として、クランクシャフトに対する吸気カムシャフトの回転位相を可変とする可変バルブタイミング機構を備え、遅閉じミラーサイクル運転が行われ、
燃料カット開始前よりも吸気バルブの閉時期を下死点に近づける制御において、
前記吸気バルブの開時期を、排気バルブの閉時期と略同時期になるように、吸気カムシャフトの回転位相を進角変化させることで、前記吸気バルブの閉時期を遅閉じミラーサイクル運転での閉時期よりも下死点に近づける、内燃機関の制御装置。
【００７５】
上記発明によると、吸気バルブの開時期が、排気バルブの閉時期と略同時期になるように、吸気カムシャフトの回転位相を進角変化させると、開時期の変換角度だけ閉時期が進角して下死点に近づき、有効圧縮比が高くなって圧縮温度が上昇する。ここで、吸気バルブの開時期を、排気バルブの閉時期と略同時期よりも進角させると、吸気バルブの閉時期はより下死点に近づくことになるが、バルブオーバーラップの拡大によって充填効率が低下し、かえって圧縮温度を低下させることになるので、吸気バルブの開時期を、排気バルブの閉時期と略同時期としたときの閉時期で、圧縮温度がピーク値となり、燃焼室（ピストン冠面）温度の低下を効果的に抑制できる。
【００７６】
（ト）請求項１又は２記載の内燃機関の制御装置において、
前記内燃機関が、前記可変動弁機構として、クランクシャフトに対する吸気カムシャフトの回転位相を可変とする可変バルブタイミング機構を備え、遅閉じミラーサイクル運転が行われ、
燃料カット開始前よりも吸気バルブの閉時期を下死点に近づける制御において、
前記吸気バルブの開時期が、略吸気上死点になるように、吸気カムシャフトの回転位相を進角変化させることで、前記吸気バルブの閉時期を遅閉じミラーサイクル運転での閉時期よりも下死点に近づける、内燃機関の制御装置。
【００７７】
上記発明によると、吸気バルブの開時期が略吸気上死点になるように、吸気カムシャフトの回転位相を進角変化させると、開時期の変換角度だけ閉時期が進角して下死点に近づき、有効圧縮比が高くなって圧縮温度が上昇する。ここで、吸気バルブの開時期が略吸気上死点とすれば、バルブオーバーラップ量を十分に小さくして充填効率の低下を抑制できるので、ピーク値に近い圧縮温度を得て、燃焼室（ピストン冠面）温度の低下を効果的に抑制できる。
【符号の説明】
【００７８】
１…エンジン（内燃機関）、２…吸気通路、３…燃料噴射弁、４…吸気バルブ、５…燃焼室、７…排気バルブ、１８…ピストン冠面、２０…可変バルブタイミング機構、３１…ＥＣＭ（エンジン・コントロール・モジュール）、３３…ブレーキスイッチ
【図１】
0005784436.tif 000002
【図４】
0005784436.tif 000003
【図５】
0005784436.tif 000004
【図６】
0005784436.tif 000005
【図７】
0005784436.tif 000006
【図８】
0005784436.tif 000007
【図２】
0005784436.tif 000008
【図３】
0005784436.tif 000009
【図９】
0005784436.tif 000010